(57)【要約】      （修正有）【課題】心臓ペースメーカーの誤動作を招く恐れを低減させる、ゴルフのマーカーホルダーを提供する。【解決手段】マーカー３の中央部にアゴ部１９と先端に案内部１８が形成された小円柱１７があり、本体１の平面５の中央には前記小円柱１７が嵌合する小穴９がある。本体１の外形１１から突出し、バネ１５によって付勢されているツマミ４には係止部位１６を有する係止片１４が固着されている。本体１の小穴９とマーカー３の小円柱１７により位置決めされたマーカー３を本体１の平面５に当接しれば、前記係止部位１６が小円柱１７のアゴ部１９に係合してマーカー３は装着される。ツマミ４を押圧すればマーカー３は本体１から外れる。【選択図】図１
0003161522.tif 000002
【実用新案登録請求の範囲】
【請求項１】
一方の面は平面５で反対側に凹部６を有する本体１と凹部６の開口部を塞ぐ蓋２とを、本体１と蓋２が向き合う中央部に互に設けたボス７、２１の雄ねじ８雌ねじ２２を螺合せしめて本体１と蓋２を一体となし、本体１の外側の平面５にマーカー３を着脱可能に装着してなるマーカーホルダーであって、平面５に装着するマーカー３は当接面２０の中心に小径部からなるアゴ部１９を形成した小円柱１７を有し、本体１のボス７の中心には小円柱１７が嵌合する貫通小穴９を設け、ボス７の付け根には溝１０を形成し、溝１０にはアゴ部１９に係合しマーカー３を係止する係止片１４の係止部位１６を臨ませ、係止部位１６がアゴ部１９を押圧するとともに、係止片１４に固着されて凹部６から貫通して外形１１に露出せしめたツマミ４を外側に押圧するバネ１５を設けたマーカーホルダー。
【請求項２】
凹部６を有する本体１と外気と連通する小穴２４を有する蓋２とを螺合せしめて収納空間２３を形成し、該収納空間２３に香料等を含侵したシート２６を収納してなる請求項１のマーカーホルダー。
【考案の詳細な説明】
【技術分野】
【００１】  ゴルフの競技者が、グリーン上のボールの位置をマーキングする際に使用するマーカーを携行保管するためのマーカーホルダーに関する考案である。
保管部位から容易に取り出すことが出来、また元の保管部位に収納することが容易であることが望ましい。
【背景技術】
【００２】  マーカーをマーカーホルダーに保持するために磁石を用いる方法が多々考案されている。基本的には着磁した部材からなるマーカーホルダーに、磁性体からなるマーカーを吸着させて保持する考案であり、マーカーホルダーの保持形態としては身体のどこかに装着するものであったり、装飾品と兼用したりあるいはゴルフ用具に取付けたりと様々である。
【考案の開示】
【考案が解決しようとする課題】
【００３】  着磁したマーカーホルダーに磁性体からなるマーカーを吸着させて保持する方法は、ホルダーからマーカーを取り出すことも元の部位に戻すことも比較的容易であるが、マーカーを吸着したホルダーを身体のどこかに装着した状態で、身体を急激に回動するスウィングによりゴルフボールを打つのであるから、マーカーがホルダーから落下しないように確実に保持するには磁界の強さが必要である。しかしながら磁界の漏洩を防止する技術は簡単ではない。それより何よりマーカーをグリーン上で必要とする時は着磁されたマーカーホルダーから磁性体のマーカーを外しているのであるから、マーカーホルダーの磁界は曝露された状態である。
最近では心臓ペースメーカーを体内に埋めた方もゴルフをなされる。磁石を用いる方法からなるマーカーホルダーは危険な誤動作を招く恐れがある。
【課題を解決するための手段】
【００４】  前記課題を解決するために本考案者は、一方の面は平面で反対側に凹部を有する本体と凹部の開口を塞ぐ蓋とを、本体と蓋が向き合う中央部に互に設けたボスの雄ねじと雌ねじを螺合せしめて本体と蓋を一体となし、本体の外側の平面にマーカーを着脱可能に装着してなるマーカーホルダーであって、本体の外側の平面に装着するマーカーは当接面の中心に小径部からなるアゴ部を形成した小円柱を有し、本体のボスの中心には前記小円柱が嵌合する貫通小穴を設け、ボスの付け根には前記アゴ部の小径部に達する溝を形成し、溝にはアゴ部に係合しマーカーを係止する係止片の係止部位を臨ませ、係止部位がアゴ部を押圧するとともに、係止片に固着されて本体の凹部から貫通して外形に露出せしめたツマミを外側に押圧するバネを設けたマーカーホルダーとすることによって目的を達成した。【００５】  考案者はまた、凹部を有する本体と外気と連通する小穴を有する蓋とを螺合せしめて収納空間を形成し、該収納空間に香料等を含侵したシートを収納してなる前記マーカーホルダーの機能を備えた装飾品も考案した。
【考案の効果】
【００６】  最近は心臓ペースメーカーを体内に埋めた方もゴルフをされるようになった。
世界保健機関（ＷＨＯ）の報告では磁界は約１〜２ガウス以下なら誤動作しないとしているが、前述のごとく磁界の漏洩もさることながら、発明の主旨に従えば、グリーン上では着磁したマーカーホルダーから、着脱自在の磁性体であるマーカーを取り外して競技を続行している筈であるからマーカーホルダーの磁界は曝露された状態であって危険な誤動作を招く恐れがある。その類のマーカーホルダーに対して本考案のマーカーホルダーは、完全に機械的な着脱機構により構成されているので誰が使用しても安全なものである。
【考案を実施するための最良の形態】
【実施例】
【００７】  以下本考案の実施形態について図１，２，３，４にて説明する。
【構成】
本体１を挟んで蓋２とマーカー３が両側に位置する。ツマミ４は本体１に取付けられている。本体１の一方の面は平面５で反対側は凹部６を形成している。中央部にはボス７があって雄ねじ８を有している。更にボス７の中央には小穴９が貫通している。
またボス７の付け根には溝１０があって溝１０の深さは小穴９の内径を越えている。溝１０に対する側の本体の外形１１には中心に向ってパイプ状のガイド１２が固着されている。
【００８】  ガイド１２の内径はツマミ４と嵌合し小径部１３がガイド１２を貫通し、更に小径部１３は係止片１４に固着している。ツマミ４は本体１の外形１１から突出しており、ガイド１２内に設けたバネ１５によって中心から外形方向に付勢している。
係止片１４は前記ボス７の雄ねじ８を跨いで前記溝１０に遊合し、バネ１５により係止片１４の係止部位１６を溝１０側に押圧し、係止部位１６を前記小穴９の内径に臨ませている。ツマミ４をバネ１５に抗して押すと係止部位１６は小穴９から退避する関係寸法となっている。
【００９】  マーカー３は当接面２０の中央に小円柱１７があって小円柱１７の先端は面取りされた案内部１８が形成されており、小円柱１７の根本にはアゴ部１９がある。アゴ部１９は小円柱１７より小径であってアゴとなしている。マーカー３の小円柱１７を本体１に貫通している小穴９に嵌合した時は、アゴ部１９は本体１のボス７の溝１０に対して位置する寸法である。
【０１０】  蓋２は中央にあるボス２１に雌ねじ２２があって本体１の雄ねじ８と螺合し、凹部６の開口部を塞いで収納空間２３を形成している。また外気と連通する複数の小穴２４がある。スリワリ２５はコイン等を使用して蓋２の開閉を行なうためにある。
収納空間２３には香料、薬剤等を含侵させたシート２６を収納することが出来る。蓋２は着脱可能であるのでシート２６は交換することが出来る。
リング２７はユニットの２８を装飾品として装う時に利用する部材である。
【作用】
【０１１】  ツマミ４をバネ１５に抗して指等で押圧すれば係止片１４により係止されたマーカー３は本体１から外れる。またマーカー３の小円柱１７を本体１の小穴９に嵌合しマーカーをバネ１５に抗して押圧すれば小円柱１７の先端の案内部１８が係止片１４の係止部位１６を小穴９から移動せしめ、同時にマーカー３は、係止される。
マーカー３のアゴ部１９が係止片１４の係止部位１６に係止されているので身体を急激に回動しても、ツマミ４を押圧しない限り落下しない。またマーカー３を本体１に装着するにはマーカー３を小円柱１７、小穴９により位置決めして押圧すればよい。
【図面の簡単な説明】
【０１２】
【図１】本考案実施例の分解斜視図
【図２】本考案実施例の平面図
【図３】図２のＡ−Ａ断面図
【図４】図２の蓋２を外した説明用平面図
【符号の説明】
【０１３】  １．本体          １３．小径部          ２５．スリワリ
２．蓋            １４．係止片          ２６．シート
３．マーカー      １５．バネ            ２７．リング
４．ツマミ        １６．係止部位        ２８．ユニット
５．平面          １７．小円柱
６．凹部          １８．案内部
７．ボス          １９．アゴ部
８．雄ねじ        ２０．当接面
９．小穴          ２１．ボス
１０．溝            ２２．雌ねじ
１１．外形          ２３．収納空間
１２．ガイド        ２４．小穴
【図１】
0003161522.tif 000003
【図２】
0003161522.tif 000004
【図３】
0003161522.tif 000005
【図４】
0003161522.tif 000006
【手続補正書】
【提出日】平成22年5月12日(2010.5.12)
【手続補正１】
【補正対象書類名】実用新案登録請求の範囲
【補正対象項目名】請求項２
【補正方法】変更
【補正の内容】
【請求項２】
凹部６を有する本体１と外気と連通する小穴２４を有する蓋２とを螺合せしめて収納空間２３を形成し、該収納空間２３に香料を含侵したシート２６を収納してなる請求項１のマーカーホルダー。